(57)【要約】【課題】開口寸法を調整可能とした便座において、大人使用状態では一般の便座と同一形態とすることができる便座を提供する。【解決手段】便座１は、中央に便鉢内に臨む開口２ａを有した環状の便座本体２と、該便座本体２の開口寸法を小さくするように該開口２ａ内に突出可能に設けられた板体３を備えている。便座本体２の後部に板体退避部４が設けられており、この板体退避部４内に、板体３が前後方向に進退可能に収容されている。板体３の前縁３ａは凹に湾曲している。子供使用時には、板体３を板体退避部４から開口２ａ内に引き出して該開口２ａの前後寸法を小さくする。大人使用時には、板体３を板体退避部４に後退させて開口２ａの前後寸法を一般の便座と同等とする。【選択図】図３
2009183613.tif 000002
【特許請求の範囲】
【請求項１】
便座の内周縁から、便座の開口寸法を小さくするように突出可能な板体を備えてなる便座。
【請求項２】
請求項１において、前記板体は、便座の開口の後縁から前方へ突出可能であることを特徴とする便座。
【請求項３】
請求項１において、前記板体は、便座の開口の左右の側縁から互いに接近方向に突出可能であることを特徴とする便座。
【請求項４】
請求項１ないし３のいずれか１項において、前記板体の突出方向先端側の辺部は凹に湾曲していることを特徴とする便座。
【発明の詳細な説明】
【技術分野】
【０００１】
本発明は、便器に設置される便座に係り、特に開口寸法が可変である便座に関する。
【背景技術】
【０００２】
洋風便器に設置される便座は、大人が座って用便するのに適した開口寸法とされており、体格の小さい子供が座るには、開口寸法が大き過ぎることがある。特開平１１−２８７には、便座を左右の２枚の円弧状の板で構成し、左右の板を接近・離反方向へ回動可能とすることにより、便座開口の左右幅を調整可能とした便座が記載されている。
【０００３】
また、同号には、左右の円弧状の板を前後移動可能とすることにより、便座開口の前後方向の寸法を調整可能とした便座が記載されている。
【特許文献１】特開平１１−２８７
【発明の開示】
【発明が解決しようとする課題】
【０００４】
上記特開平１１−２８７において、左右の円弧状の板を接近させて開口の左右幅を小さくした場合、板が便器の便鉢の上面から外れる（便鉢の左右の上面が便座で覆われずに露呈する）ことがないようにするために、板幅を大きくする必要がある。そのため、大人使用時には板が便器から左右に徒に大きく張り出してしまい、便蓋の閉止に支障が生じる。
【０００５】
また、上記特開平１１−２８７において、円弧状の板を後退させて開口の前後寸法を小さくした場合、板の前部が便鉢上面から外れる（便鉢の前部の上面が便座で覆われずに露呈する）ことがないようにするために、板の前後寸法を大きくする必要がある。そのため、大人使用時には板が便鉢前方へ徒に大きく張り出してしまい、大人にとって座りにくいものとなる。
【０００６】
本発明は、上記従来の問題点を解決し、開口寸法を調整可能とした便座において、大人使用状態では一般の便座と同一形態とすることができる便座を提供することを目的とする。
【課題を解決するための手段】
【０００７】
請求項１の便座は、便座の内周縁から、便座の開口寸法を小さくするように突出可能な板体を備えてなるものである。
【０００８】
請求項２の便座は、請求項１において、前記板体は、便座の開口の後縁から前方へ突出可能であることを特徴とするものである。
【０００９】
請求項３の便座は、請求項１において、前記板体は、便座の開口の左右の側縁から互いに接近方向に突出可能であることを特徴とするものである。
【００１０】
請求項４の便座は、請求項１ないし３のいずれか１項において、前記板体の突出方向先端側の辺部は凹に湾曲していることを特徴とするものである。
【発明の効果】
【００１１】
本発明の便座にあっては、板体を便座開口の内周縁から突出させることにより、開口寸法を小さくし、子供使用に適した開口寸法とすることができる。板体を便座内に後退させると、便座の外観形態は一般の便座と同じとなり、大人使用に適したものとなる。また、この場合、便蓋を閉めるのに全く支障が生じない。
【００１２】
なお、板体を便座開口の後縁から前方へ突出させた場合には、開口の前後寸法を小さくすることができる。板体を便座開口の左右の側縁から互いに接近方向に突出させた場合には、開口の左右寸法を小さくすることができる。
【００１３】
板体の突出方向先端側の辺部を凹に湾曲させることにより、子供使用状態において、開口の内周縁が一般の便座の内周縁と同様の凹曲形状となる。
【発明を実施するための最良の形態】
【００１４】
以下に、図面を参照して本発明の実施の形態について説明する。
【００１５】
第１図は実施の形態に係る便座の大人使用時の斜視図、第２図はこの便座の子供使用時の斜視図、第３図はこの便座の水平断面図である。なお、第３図（ａ）は大人使用時を示し、第３図（ｂ）は子供使用時を示している。
【００１６】
この便座１は、洋風便器（図示略）の便鉢上面を覆うように配置され、その中央に該便鉢内に臨む開口２ａを有した環状の便座本体２と、該便座本体２の開口寸法を小さくするように該開口２ａ内に突出可能に設けられた板体３等を備えている。
【００１７】
該便座本体２は、その後端部に設けられたヒンジ部２ｂ，２ｂを介して洋風便器の後部上面に対し、又は洋風便器の後部上面に設置された便座ボックス等のケーシング（図示略）に対し起倒回動可能に取り付けられている。
【００１８】
板体３が開口２ａ内に突出していない状態（以下、この状態のときを大人使用時という。）における該開口２ａの寸法及び便座本体２の外周側の寸法は、それぞれ一般の便座と同等となっている。即ち、この便座本体２自体は、一般の便座と同様の、大人が座って用便するのに適した外観形態とされている。具体的には、該開口２ａは、前後方向の開口寸法が２８０〜３０５ｍｍとされ、左右方向の開口寸法が１９５〜２０５ｍｍとされており、便座本体２は、外周側の前後方向の寸法が４２０〜４５０ｍｍとされ、外周側の左右方向の寸法が３６０〜３７０ｍｍとされている。
【００１９】
この実施の形態では、便座本体２の後部に、大人使用時に板体３を開口２ａから退避させる板体退避部４が設けられている。即ち、この実施の形態では、該板体３は、開口２ａの後縁から該開口２ａ内に突出しうるように構成されている。
【００２０】
該板体退避部４は、この実施の形態では、開口２ａの後縁の厚さ方向の中間付近から略水平に便座本体２の内部に穿設されたスロット状の空所よりなる。第３図（ａ），（ｂ）の通り、この板体退避部４の左右方向の幅は開口２ａの左右方向の開口寸法よりも大となっている。この板体退避部４の左右両端側は、それぞれ開口２ａの左右の側縁に回り込み、該開口２ａの後縁から所定距離前方まで延在している。
【００２１】
板体３は、この板体退避部４内に略水平に且つ前後方向に進退可能に収容されている。この板体３の左右方向の幅も、開口２ａの左右方向の幅よりも大となっている。
【００２２】
なお、この実施の形態では、該板体３は、ＡＢＳやＰＢＴ等の硬質な材料にて構成されているが、布やゴムシート等の柔軟な材料にて構成されてもよい。また、硬質な材料に柔軟な材料を重ねて構成してもよい。
【００２３】
この実施の形態では、該板体３の左右両端側からそれぞれ側方へレバー３ａが突設されている。便座本体２の左右の側面には、それぞれ、このレバー３ａの前後方向の移動を案内するガイド溝４ａが設けられている。各ガイド溝４ａは、便座本体２の左右の側面を略水平に貫通して板体退避部４内に連通している。各レバー３ａは、それぞれ、このガイド溝４ａを通って便座本体２の左右の側面から側方へ延出している。
【００２４】
この実施の形態では、このレバー３ａを前後に動かすことにより、板体３を前後進させることができる。
【００２５】
第３図（ａ），（ｂ）に示すように、この実施の形態では、板体３の前縁３ｂは凹に湾曲したものとなっている。この前縁３ｂの凹形状は、開口２ａの後縁の平面視形状と略合致するものとなっており、第３図（ａ）の通り、板体３が板体退避部４に退避した状態においては、この板体３の前縁３ｂが開口２ａの後縁と面一状となるように構成されている。
【００２６】
本発明においては、板体３が開口２ａ内に突出した状態（以下、この状態のときを子供使用時という。）における該開口２ａの後縁から板体３の前縁３ａまでの最大突出距離Ｔ（第３図（ｂ））は、１０〜６０ｍｍ、特に２７〜４４ｍｍ、とりわけ２５〜４０ｍｍであることが好ましい。
【００２７】
この便座１の使用方法は次の通りである。
【００２８】
子供使用時には、第２図及び第３図（ｂ）のように、左右のレバー３ａを手前に引いて板体３を開口２ａの後縁から該開口２ａ内に突出させる。これにより、開口２ａの前後方向の開口寸法が小さくなり、体格の小さい子供が便座１に座って使用するのに適したものとなる。
【００２９】
大人使用時には、第１図及び第３図（ａ）のように、左右のレバー３ａを後方へ押して板体３を開口２ａから板体退避部４内に退避させる。これにより、開口２ａの前後左右の寸法が一般の便座と同等となり、大人が便座１に座って用便するのに適したものとなる。
【００３０】
この便座１にあっては、大人使用時には、便座本体２の外観形態が実質的に一般の便座と同一となる。従って、大人使用時に便座１が座りにくいものとなったり、便蓋を閉めるのに支障が生じたりすることが全くない。
【００３１】
この実施の形態では、板体３の前縁３ｂは凹に湾曲しているので、子供使用時にあっても、開口２ａの前縁及び両側縁とこの板体３の前縁３ｂとによって構成される開口の内周縁は、一般の便座の内周縁と同様に凹曲面となる。このため、子供使用時にも便座１が子供の臀部にフィットする。なお、この実施の形態では、この板体３の前縁３ｂの凹形状は開口２ａの後縁の平面視形状と合致するものとなっており、板体３が板体退避部４に退避した状態においては、この板体３の前縁３ｂと開口２ａの後縁とが面一状となるため、大人使用時の座り心地も良好である。
【００３２】
上記の実施の形態では、便座本体２の左右の側面から側方へ延出したレバー３ａを前後に動かすことにより板体３を開口２ａ内に進退させるように構成しているが、板体３の操作機構はこれに限定されない。第４図及び第５図に板体３の操作機構の別の構成例を示す。第４図及び第５図は、それぞれ、レバー３ａとは別の板体操作機構を有する便座の水平断面図である。なお、第４図（ａ）及び第５図（ａ）は大人使用時を示し、第４図（ｂ）及び第５図（ｂ）は子供使用時を示している。
【００３３】
第４図の便座１Ａにおいては、前述のレバー３ａの代わりに、板体３の前縁３ｂから、操作者が摘む舌片状の摘み部３ｃが突設されている。この実施の形態では、板体退避部４は、便座本体２の左右の側面には連通していない。
【００３４】
この便座１Ａのその他の構成は前述の第１〜３図の便座１と同様であり、第４図において第１〜３図と同一符号は同一部分を示している。
【００３５】
この便座１Ａにあっては、子供使用時には、第４図（ｂ）のように、摘み部３ｃを摘んで手前に引き、板体３を開口２ａの後縁から該開口２ａ内に突出させる。これにより、開口２ａの前後方向の開口寸法が小さくなり、体格の小さい子供が便座１Ａに座って用便するのに適したものとなる。
【００３６】
大人使用時には、第４図（ａ）のように、摘み部３ｃ又は板体３の前縁３ｂを後方へ押して板体３を開口２ａから板体退避部４内に退避させる。これにより、開口２ａの開口寸法が一般の便座と同程度となり、大人が便座１Ａに座って用便するのに適したものとなる。
【００３７】
なお、この実施の形態では、摘み部３ｃは板体３の前縁３ｂの左右方向の中間付近に１個設けられているが、摘み部３ｃの個数及び配置はこれに限定されるものではなく、例えば左右方向に配置位置を異ならせて２個以上設けられてもよい。
【００３８】
この実施の形態では、摘み部３ｃは略方形の舌片状のものとなっているが、摘み部３ｃの構成はこれに限定されるものではなく、手や指が掛けられるリング状のものや、紐状のものであってもよい。
【００３９】
第５図の便座１Ｂにおいては、レバー３ａの代わりに、板体３を前後にそれぞれ引っ張るためのプルケーブル５ｆ，５ｒが設けられている。
【００４０】
この実施の形態では、便座本体２の内部に、該便座本体２の前端側を回り込んで板体退避部４の左右両端側を連通したトンネル状の第１ケーブル通路６ａと、該第１ケーブル通路の延在方向中間付近から前方へ分岐し、その前端側が便座本体２の前端面に開口した第２ケーブル通路６ｂと、便座本体２の後端面の左右方向の中間付近から板体退避部４内に連通した第３ケーブル通路６ｃとが設けられている。
【００４１】
この実施の形態では、板体３の前部の左端側及び右端側にそれぞれプルケーブル５ｆの一端が接続されている。これらのプルケーブル５ｆ，５ｆは、それぞれ第１ケーブル通路６ａ及び第２ケーブル通路６ｂ内を引き通され、他端側が該第２ケーブル通路６ｂから便座本体２の前方へ引き出されている。なお、これらのプルケーブル５ｆ，５ｆ同士は、途中で合流し、他端側が１本のケーブルとなっていてもよい。符号５ａは、このプルケーブル５ｆの他端に取り付けられたノブを示している。
【００４２】
後側のプルケーブル５ｒは、一端が板体３の後縁の左右方向中間付近に接続され、他端側は第３ケーブル通路６ｃを通って便座本体２の後方へ引き出されている。符合５ｂは、このプルケーブル５ｒの他端に取り付けられたノブを示している。
【００４３】
この便座１Ｂのその他の構成は前述の第１〜３図の便座１と同様であり、第５図において第１〜３図と同一符号は同一部分を示している。
【００４４】
この便座１Ｂにあっては、子供使用時には、第５図（ｂ）のように、前側のプルケーブル５ｆを手前に引っ張って板体３を前進させ、開口２ａ内に板体３を突出させる。これにより、開口２ａの前後方向の開口寸法が小さくなり、体格の小さい子供が便座１Ｂに座って用便するのに適したものとなる。
【００４５】
大人使用時には、第５図（ａ）のように、後側のプルケーブル５ｒを後方へ引っ張って板体３を開口２ａから板体退避部４内に後退させる。これにより、開口２ａの開口寸法が一般の便座と同程度となり、大人が便座１Ｂに座って用便するのに適したものとなる。
【００４６】
なお、上記の各実施の形態はいずれも板体３の操作機構の一例を示すものであり、板体操作機構の構成は上記の各実施の形態の構成に限定されない。
【００４７】
上記の各実施の形態では、板体３は、開口２ａの後縁から該開口２ａ内に突出するものとなっているが、本発明においては、板体３を開口２ａの左右の側縁から該開口２ａ内に突出させるように構成してもよい。第６図はこのように構成された便座の水平断面図である。
【００４８】
第６図の便座１Ｃは、便座本体２の開口２ａの左右の側縁から互いに接近方向に突出可能に設けられた板体７Ｌ，７Ｒを備えている。
【００４９】
この実施の形態でも、該開口２ａの内周縁の厚さ方向の中間付近から便座本体２の内部に略水平に穿設されたスロット状の空所が設けられ、この空所内が、大人使用時に板体７Ｌ，７Ｒがそれぞれ開口２ａから退避する板体退避部８となっている。この実施の形態では、該板体退避部８は、開口２ａの内周縁の全周にわたって周設されている。
【００５０】
板体７Ｌ，７Ｒは、それぞれ該開口２ａの左右の側縁に沿って略水平に配置され、互いに接近・離反方向に進退可能に該板体退避部８内に収容されている。各板体７Ｌ，７Ｒの前後方向の長さは、開口２ａの前後寸法よりも大となっており、各々の前端側及び後端側は、それぞれ、板体退避部８のうち開口２ａの前縁に沿う部分及び開口２ａの後縁に沿う部分に収容されている。
【００５１】
第６図（ａ）に示すように、この実施の形態でも、各板体７Ｌ，７Ｒの突出方向先端側の縁部７ａは、それぞれ凹に湾曲したものとなっている。これらの縁部７ａの凹形状は、それぞれ開口２ａの左右の側縁の平面視形状と略合致するものとなっており、各板体７Ｌ，７Ｒが板体退避部８に退避した状態においては、これらの縁部７ａがそれぞれ開口２ａの左右の側縁と面一状となるように構成されている。
【００５２】
本発明においては、子供使用時における開口２ａの左右の側縁から各板体７Ｌ，７Ｒの縁部７ａまでの最大突出距離Ｔｓ（第６図（ｂ））は、それぞれ５〜２５ｍｍ、特に１０〜２０ｍｍであることが好ましい。
【００５３】
この便座１Ｃのその他の構成は前述の第１〜３図の便座１と同様であり、第６図において第１〜３図と同一符号は同一部分を示している。
【００５４】
この実施の形態では、各板体７Ｌ，７Ｒの縁部７ａから、それぞれ、操作者が摘む舌片状の摘み部７ｂが突設されている。なお、この実施の形態では、各板体７Ｌ，７Ｒの縁部７ａの前後方向の中間付近に１個の摘み部７ｂが設けられているが、前後方向に配置位置を異ならせて２個以上設けられてもよい。
【００５５】
この便座１Ｃの使用方法は次の通りである。
【００５６】
子供使用時には、第６図（ｂ）のように、各板体７Ｌ，７Ｒの摘み部７ｂを摘んで各板体７Ｌ，７Ｒを開口２ａの左右の側縁からそれぞれ該開口２ａ内に引き出す。これにより、開口２ａの左右方向の開口寸法が小さくなる。なお、この実施の形態では、各板体７Ｌ，７Ｒの縁部７ａの前端側及び後端側がそれぞれ開口２ａの前縁及び後縁に沿って湾曲しているため、第６図（ｂ）の通り、各板体７Ｌ，７Ｒを開口２ａ内に引き出すと、開口２ａの前後方向の寸法も若干小さくなる。これにより、便座１Ｃは、体格の小さい子供が座って使用するのに適したものとなる。
【００５７】
大人使用時には、第６図（ａ）のように、各板体７Ｌ，７Ｒの摘み部７ｂ又は各板体７Ｌ，７Ｒの縁部７ａを側方へ押して各板体７Ｌ，７Ｒを開口２ａから板体退避部８内に退避させる。これにより、開口２ａの前後左右の寸法が一般の便座と同等となり、大人が便座１Ｃに座って用便するのに適したものとなる。
【００５８】
この便座１Ｃにあっても、大人使用時には、便座本体２の外観形態が実質的に一般の便座と同一となる。従って、大人使用時に便座１Ｃが座りにくいものとなったり、便蓋を閉めるのに支障が生じたりすることが全くない。
【００５９】
この実施の形態でも、各板体７Ｌ，７Ｒの突出方向先端側の縁部７ａは凹に湾曲しているので、子供使用時にあっても、この板体７Ｌ，７Ｒの縁部７ａによって構成される開口の内周縁は、一般の便座の内周縁と同様に凹曲面となる。このため、子供使用時にも便座１Ｃが子供の臀部にフィットする。また、この実施の形態でも、各板体７Ｌ，７Ｒの縁部７ａの凹形状は開口２ａの左右の側縁の平面視形状と合致するものとなっており、各板体７Ｌ，７Ｒが板体退避部８に退避した状態においては、この板体７Ｌ，７Ｒの縁部７ａと開口２ａの左右の側縁とが面一状となるため、大人使用時の座り心地も良好である。
【００６０】
なお、この実施の形態では、各板体７Ｌ，７Ｒの縁部７ａから突設された摘み部７ｂを摘んで各板体７Ｌ，７Ｒを開口２ａ内に進退させるように構成されているが、各板体７Ｌ，７Ｒの操作機構はこれに限定されない。
【００６１】
上記の各実施の形態はいずれも本発明の一例を示すものであり、本発明は上記の各実施の形態に限定されない。
【００６２】
例えば、上記の各実施の形態では、板体３，７Ｒ，７Ｌはいずれも手動により進退されるように構成されているが、電動モータや、油圧又はガス圧等によるシリンダ機構、あるいはソレノイドなどの駆動力を用いて板体を進退させるように構成してもよい。
【００６３】
上記の第１〜３図、第４図及び第５図の実施の形態では、板体３が開口２ａの後縁から該開口２ａ内に突出するように構成され、第６図の実施の形態では、板体７Ｌ，７Ｒがそれぞれ開口２ａの左右の側縁から該開口２ａ内に突出するように構成されているが、板体の突出方向はこれに限定されない。例えば、図示は省略するが、開口２ａの後縁及び左右の側縁の三方から該開口２ａ内に突出するように構成してもよい。
【００６４】
上記の各実施の形態では、便座本体２の開口２ａの内周縁から該便器本体２の内部にスロット状に穿設された空所よりなる板体退避部４，８が設けられ、この板体退避部４，８内に板体３，７Ｌ，７Ｒが進退可能に収容されているが、板体の配置はこれに限定されない。例えば、図示は省略するが、板体を便座本体の上面側又は下面側に重ねて配置し、該板体がこの便座本体の上面又は下面に沿って進退しうるように構成してもよい。
【００６５】
図示は省略するが、本発明では、便座開口の同一サイドの縁部から該開口内に複数枚の板体が突出するように構成してもよい。この場合、例えば、該開口の縁部に複数枚の板体を重ねて又は折り畳み状に配置し、１枚目の板体を開口内に引っ張り出すと、これに引き続いて２枚目以降の板体が順次開口内に引き出されるように構成してもよい。
【図面の簡単な説明】
【００６６】
【図１】実施の形態に係る便座の大人使用時の斜視図である。
【図２】図１の便座の子供使用時の斜視図である。
【図３】図１の便座の水平断面図である。
【図４】別の板体操作機構を有する便座の水平断面図である。
【図５】別の板体操作機構を有する便座の水平断面図である。
【図６】別の実施の形態に係る便座の水平断面図である。
【符号の説明】
【００６７】
１，１Ａ〜１Ｃ  便座
２  便座本体
３，７Ｌ，７Ｒ  板体
３ａ  レバー
３ｃ，７ｂ  摘み部
４，８  板体退避部
５ｆ，５ｒ  プルケーブル
【図１】
2009183613.tif 000003
【図２】
2009183613.tif 000004
【図３】
2009183613.tif 000005
【図４】
2009183613.tif 000006
【図５】
2009183613.tif 000007
【図６】
2009183613.tif 000008